(57)【要約】【目的】本発明は、携帯端末装置の電源端子および通信端子にそれぞれ端子を接続して充電、電源供給および通信する通信アダプタ装置に関し、所定の順番に端子接続を簡単な構造で自動的に行って電源供給、充電および通信を行うことを目的とする。【構成】  携帯端末装置が置かれたことに対応して、押下される部材と、部材が押下されたときに、電源端子を突き出して携帯端末装置の電源端子と接続する充電端子ホルダ部と、部材が押下されたときに、電源端子を突き出して携帯端末装置の電源端子と接続した後に更に当該部材が押下されときに、通信端子を突き出して携帯端末装置の通信端子と接続する通信端子ホルダ部とを備える。【選択図】        図１
2005136821.tif 000002
【特許請求の範囲】
【請求項１】
携帯端末装置の電源端子および通信端子にそれぞれ対応して接続される電源端子と通信端子を備えた通信アダプタ装置において、
前記携帯端末装置が前記通信アダプタ装置上に載置されることによって押下される第１の部材と、前記通信アダプタ装置の電源端子と、突起部を備え、前記第１の部材が押下されると所定角度回転し前記通信アダプタ装置の電源端子を突出させ、前記携帯端末装置の電源端子と接続させる電源端子ホルダ部と、
前記突起部との間に所定の間隔をおいて設けられた第２の部材と、前記通信アダプタ装置の通信端子を備え、前記電源端子ホルダ部が前記所定角度回転することにより前記突起部と前記第２の部材が接触すると共に前記通信アダプタ装置の電源端子と前記携帯端末装置の電源端子とが接続された後、更に前記第１の部材が押下されると所定角度回転し前記通信アダプタ装置の通信端子を突出させ、前記携帯端末装置の通信端子と接続させる通信端子ホルダ部と
を備えたことを特徴とする通信アダプタ装置。
【請求項２】
前記電源端子ホルダ部および前記通信端子ホルダ部の端子を、前記携帯端末装置の端子の平坦あるいは凸に対応して、凸あるいは平坦にしたことを特徴とする請求項１記載の通信アダプタ装置。
【請求項３】
前記第１の部材が押下されたときに回転して電源端子を突き出す軸と、第２の部材が回転して通信端子を突き出す軸とを０度あるいは９０度のいずれかとしたことを特徴とする請求項１あるいは請求項２記載の通信アダプタ装置。
【請求項４】
前記通信端子の突き出し時にカバーを外して当該通信端子を突き出すことを特徴とする請求項１から請求項３のいずれかに記載の通信アダプタ装置。
【請求項５】
前記電源端子を突き出して前記携帯端末装置の電源端子と接続した後に更に当該第２の部材が押下される代わりに、前記電源端子の長さを前記通信端子の長さよりも長くし、先に前記携帯端末装置の電源端子に接続するようにしたことを特徴とする請求項１から請求項４のいずれかに記載の通信アダプタ装置。
【発明の詳細な説明】
【技術分野】
【０００１】
本発明は、携帯端末装置の電源端子および通信端子にそれぞれ端子を接続して充電および通信する通信アダプタ装置に関するものである。
【背景技術】
【０００２】
従来、携帯端末装置は充電アダプタ上に置いて充電したり、あるいは通信アダプタにコネクタで接続して当該通信アダプタを介してパソコンやホストと通信したり切り替えるようにしていた。
【０００３】
また、充電用アダプタと通信用アダプタの２つを設ける代わりに、充電端子付き通信アダプタを設け、赤外線を用いて携帯端末装置と通信アダプタとが送受信するようにしていた（特許文献１）。
【特許文献１】特開平０９−２９４１０８号公報
【発明の開示】
【発明が解決しようとする課題】
【０００４】
上述した前者では、充電したり、通信したりする場合に、その都度、専用の充電アダプタあるいは通信アダプタに切り替える必要が生じてしまうと共に、特に、通信アダプタではコネクタで携帯端末装置と通信アダプタとを接続していたために接続、接続の切替が面倒であるという問題があった。また、図９に示すように、通信アダプタ装置はＵＳＢやＲＳ−２３２Ｃ等の通信手段を介してパーソナルコンピュータまたはサーバ等の上位装置に接続されるが、携帯端末装置と通信アダプタ装置の電源端子同士が接続されるより前に携帯端末装置と通信アダプタ装置の通信端末同士が接続された場合には、携帯端末装置または通信アダプタ装置の回路によっては、携帯端末装置または通信アダプタ装置に対し上位装置側から不安定な電圧がかかることにより、通信上の誤動作が発生したり、通信が不安定になるという問題が発生する場合があった。
【０００５】
また、上述した後者では携帯通信端末の充電端子と充電端子付き通信アダプタの充電端子とを接続して充電し、一方、通信は赤外線による通信を行う赤外線通信アダプタ装置について開示されているが、上述したような通信上の誤動作や不安定な動作という問題は依然残ることとなる。
【課題を解決するための手段】
【０００６】
本発明は、この問題を解決するため、携帯端末装置が充電端子付き通信アダプタ装置に置かれると、充電端子を先に接続した後に通信端子を接続し、接続がチェックされて接続確認後に携帯端末装置と上位装置が端子を経由して送受信するようにしている。
【０００７】
従って、携帯端末装置を充電端子付き通信アダプタ装置に置く際に、所定の順番による端子接続を簡単な構造で実現し、安定した充電、電源供給および通信を行うことが可能となる。
【発明の効果】
【０００８】
本願発明は、携帯端末装置が充電端子付き通信アダプタ装置に置かれると、充電端子を先に接続した後に通信端子を接続するよう構成し、接続がチェックされて接続確認後に携帯端末装置と上位装置が端子を経由して送受信する構成を採用しているため、携帯端末装置を充電端子付き通信アダプタ装置に置くことで、所定の順番に端子接続を簡単な構造で自動的に行って充電および通信を行うことが可能となる。
【発明を実施するための最良の形態】
【０００９】
【実施例１】
【００１０】
図７は、本発明に係る携帯端末装置例を示す。
【００１１】
図７の（ａ）は正面図を示し、図７の（ｂ）は背面図を示す。
【００１２】
図７において、用紙４１は、プリンタ装置によってデータを印字する用紙（ここでは、ロール用紙）である。
【００１３】
スキャナ４２は、イメージやバーコードなどを読み取るスキャナである。
【００１４】
画面（ＬＣＤ）４３は、各種データやイメージを表示する画面である。
【００１５】
キーボード４４は、データや指示を入力するためのキーボードであって、ここでは、通信ボタン（既述した図３のＳ５）３５などを含むものである。
【００１６】
充電端子４６は、携帯端末装置４に電源を供給したり、内蔵のバッテリを充電したりなどするための端子であって、既述した図１、図２、図４の充電端子１２が接触する端子である。
【００１７】
通信端子（ＵＳＢ端子）４７は、携帯端末装置４が通信アダプタ装置３の通信端子２１と接触して相互に通信するための端子（例えばＵＳＢ端子、ＲＳ２３２端子）である。ここで、ＵＳＢ端子として動作させるには、図示の通信端子（ＵＳＢ端子）４７の２個と、充電端子４６の２個との合計４個の端子でＵＳＢによる通信を行う。尚、充電端子４６は、通常は電源を供給する（および充電する）ために使用し、通信は短時間で終わるので当該通信時には充電端子４６をＵＳＢ端子として短時間使用する（それ以外の時は充電端子（電源端子）として使用するように切り替える）。
【００１８】
図８は、本発明の装着説明図を示す。
【００１９】
図８の（ａ）は、携帯端末装置４を、通信アダプタ装置３に載せて装着する前の状態を示す。
【００２０】
図８の（ｂ）は、携帯端末装置４を、通信アダプタ装置３に載せて装着した後の状態を示す。図示のように、携帯端末装置４を、通信アダプタ装置３に載せると、既述したように、通信アダプタ装置３のＣ部（押下部）１１が押下され、充電端子が先に通信アダプタ装置３から突出して携帯端末装置４の充電端子に接続した後、次に、通信端子が通信アダプタ装置３から突出して携帯端末装置４の通信端子に接続し、両者の接続を完了するようにしている。
【００２１】
図１は、本発明の１実施例構造図を示す。これは、図２に示す通信アダプタ装置３の要部構造を示したものである。
【００２２】
図１において、充電端子ホルダ部１は、携帯端末装置４を装着して（載せて）  Ｃ部（押下部）１１を押下し、充電端子ホルダ部１から充電端子１２を突き出して当該携帯端末装置の端子に接触させて充電したりなどするものであって、ここでは、Ｃ部（押下部）１１、充電端子１２、軸Ａ（支点），Ｄ部（突起部）１３などから構成されるものである。
【００２３】
Ｃ部（押下部）１１は、図示外の携帯端末装置４を載せたときに押下される押下部であって、軸Ａを中心に回転してＤ部（突起部）１３をここでは下方向に移動させるものである。
【００２４】
軸Ａ（支点）は、Ｃ部（押下部）１１が押下されたときに回転するための軸であって、ここでは、Ｃ部（押下部）１１が押下されると矢印ｂで示したように、右回転するための軸である。
【００２５】
Ｄ部（突起部）１３は、Ｃ部（押下部）１１が押下されたときに軸Ａ（支点）を中心に回転して移動する突起部であって、ここでは、Ｃ部（押下部）１１が押下されると矢印で示したように、下方向に移動して所定クリアランス（間隔）移動後にＥ部（アーム部）２３を矢印ｄ方向に一緒に移動させるものである。
【００２６】
充電端子（電源端子）１２は、Ｃ部（押下部）１１が押下されたときに軸Ａ（支点）を中心に回転して突き出す充電用、電源供給用の端子であって、ここでは、Ｃ部（押下部）１１が押下されると矢印ｃで示したように、上方向に凸の当該充電端子を移動し、図示外の載せた携帯端末装置４の充電端子（平坦）に接触するものである。
【００２７】
以上の構成により、後述する図７および図８に記載の携帯端末装置４を当該通信アダプタ装置に載せると、Ｃ部（押下部）１１が押下されて軸Ａ（支点）を中心に回転した充電端子１２が矢印ｃで示すよう突き出して当該携帯端末装置４の充電端子（平坦）に接触し、必要に応じて充電したり、更に、Ｃ部（押下部）１１が押下されて軸Ａ（支点）を中心に回転したＤ部（突起部）１３が矢印ｄ方向に移動して所定クリアランス移動後に通信端子部２のＥ部（アーム部）２３を下方向に一緒に移動させることが可能となる。
【００２８】
図１において、通信端子ホルダ部２は、携帯端末装置４を装着して（載せて）充電端子ホルダ部１のＣ部（押下部）１１を押下すると上述したようにしてＤ部（突起部）１３が矢印ｄ方向に移動し、所定クリアランス移動後にＥ部（アーム部）２３を矢印ｄ方向に一緒に移動させて通信端子２１を携帯端末装置４の通信端子に接触させて通信するためのものであって、ここでは、Ｅ部（アーム部）２３、軸Ｂ（支点）、通信端子２１などから構成されるものである。
【００２９】
Ｅ部（アーム部）２３は、上述した充電端子ホルダ部１のＤ部（突起部）１３が、矢印ｄ方向に移動して所定クリアランス移動後に一緒に矢印ｄ方向に更に移動するものである。
【００３０】
軸Ｂ（支点）は、通信ホルダ部２が回転するための軸であって、ここでは、Ｅ部（アーム部）２３が下方向に回転することに対応して通信端子２１を矢印ｅ方向に回転して突き出して携帯端末装置４の通信端子に接触させるためのものであって、充電端子ホルダ部１のＣ部（押下部）１１の軸Ａ（支点）とここでは９０度ずらして通信端子２１を９０度ずらした方向に２個並べて突き出すためのものである（充電端子１２の２個を突き出す向きと、通信端子２１の２個を突き出す向きとを９０度ずらすためのものである）。尚、軸Ａと軸Ｂとを同軸にし、同じ向きに充電端子１２、通信端子２１の２個を突き出すようにしてもよい。
【００３１】
通信端子２１は、Ｅ部（アーム部）２３が矢印ｄ方向に回転して移動したときに同じ軸である軸Ｂ（支点）を中心に回転して矢印ｆ方向に突き出して携帯端末装置４の通信端子（例えばＵＳＢ端子など）に接触するものである。
【００３２】
以上の構成により、携帯端末装置４を載せると、充電ホルダ部１を構成するＣ部（押下部）１１が押下されてＤ部（突起部）１３がここでは矢印ｄ方向に回転して移動し、所定クリアランス移動後に、通信端子ホルダ部２を構成するＥ部（アーム部）２３が矢印ｄ方向に一緒に移動してこれに対応して通信端子２１が矢印ｆ方向に突き出して携帯端末装置４の通信端子に接触し、送受信などすることが可能となる。
【００３３】
図２は、本発明の外観構造図を示す。これは、本願発明に係る通信アダプタ装置の外観構造図であって、図１の要部構造図の外観構造図である。
【００３４】
図２において、Ｃ部（押下部）１１の上に携帯端末装置４を載せると、当該Ｃ部（押下部）１１が下方向に移動し、既述したようにして充電端子１２を突き出して携帯端末装置４の充電端子部に接触して必要に応じて充電開始すると共に、Ｃ部（押下部）１１が下方向に移動したことに対応して、既述したように所定クリアランス移動後に通信端子２１を突き出して携帯端末装置４の通信端子に接触して通信開始することが可能となる。
【００３５】
次に、図３のフローチャートの順番に従い、図１、図２の構造を持つ通信アダプタ装置３の動作を詳細に説明する。
【００３６】
図３は、本発明の動作説明フローチャートを示す。
【００３７】
図３において、Ｓ１で、携帯端末装置４を通信アダプタ装置３に置かれる。これは、携帯端末装置４を図２の通信アダプタ装置３の上に置かれることを意味する。
【００３８】
Ｓ２で、Ｃ部が押下される。これは、Ｓ１で携帯端末装置４を図２の通信アダプタ装置３の上に置いたことに対応して、図１のＣ部（押下部）１１が下方向に押下されたことを意味する（図１、図２のａを参照）。
【００３９】
Ｓ３で、携帯端末装置と充電端子ホルダ部の充電端子が接触する。これは、Ｓ２でＣ部（押下部）１１が下方向に押下されたことに対応して、図１で充電端子ホルダ部が軸Ａ（支点）を中心に矢印ｂの方向に回転し、充電端子１２が矢印ｃ方向に移動して突き出し、携帯端末装置４の充電端子に接触することを意味する（図１、図２のｂを参照）。
【００４０】
Ｓ４で、充電端子ホルダ部が所定間隔移動後、通信端子ホルダ部が矢印ｅ方向に回転することにより、携帯端末装置と通信端子ホルダ部の通信端子が接触する。
【００４１】
以上のＳ１からＳ４によって、携帯端末装置４を図１、図２の通信アダプタ装置３の上に置くと、Ｃ部（押下部）１１が下方向に押下されて充電端子１２を突き出して携帯端末装置４の充電端子に接触して必要に応じて充電し、更に、所定クリアランス移動後に通信端子２１のカバー部２２をずらして当該通信端子２１を突き出して携帯端末装置４の通信端子部に接触させることが可能となる。
【００４２】
Ｓ５で、通信ボタンを押下する。携帯端末装置４あるいは通信アダプタ装置３の図示外の通信ボタンを押下し、通信開始を指示する。
【００４３】
Ｓ６で、接触のチェックを行う。Ｓ５で通信ボタンを押下して通信開始が指示されたときに、通信アダプタ装置３と携帯端末装置４との接触（充電端子、通信端子の接触）のチェックを行う。
【００４４】
Ｓ７で、Ｓ６のチェックの結果がＯＫか判別する。ＹＥＳの場合には、Ｓ８で通信を行う（携帯端末装置４と通信アダプタ装置３との間で送受信を行う）。ＮＯの場合には、エラー処理（例えば通信アダプタ装置３のエラーランプを点灯し、携帯端末装置４が通信アダプタ装置３に正常に装着されていない旨を表示などする。
【００４５】
図４は、本発明の動作説明図である。これは、既述した図１および図２の通信アダプタ装置の構成のもとで、携帯端末装置４が載せられた時に、充電端子を突き出して接続した通信端子を接続する時の動作を通信アダプタ装置の側面から見た説明図である。以下順次詳細に説明する。
【００４６】
（１）  図４の（ａ）において、携帯端末装置４（例えば後述する図７）を図示の通信アダプタ装置３の上に載せると、Ｃ部（押下部）１１が下方向に押される。
【００４７】
（２）  図４の（ａ）において、Ｃ部（押下部）１１が下方向に押されることにより、充電端子ホルダ１４が回転して充電端子１２の突出を開始する。
【００４８】
（３）  図４の（ｂ）において、充電端子ホルダ１４が更に回転し、Ｄ部（突起部）１３とＥ部（アーム部）２３との間のクリアランス（隙間）が０（ゼロ）となった状態で、通信アダプタ装置３の充電端子１２が十分に突出して載せた携帯端末装置４の充電端子と完全に接触し、充電端子が相互に接続完了となる。
【００４９】
（４）  次に、図４の（ｃ）（図４の（ｂ）の右側の矢視の方向から見た断面図）において、更に、Ｃ部（突起部）１１が押下されると通信端子２１を上方向に突出を開始する。
【００５０】
（５）  図４の（ｄ）において、更に、Ｃ部（突起部）１１が押下されると、通信アダプタ装置３の突出した通信端子２１を、携帯端末装置４の通信端子に接触し、通信端子が相互に接続完了となる。
【００５１】
以上のように、携帯端末装置４を通信アダプタ装置３の上に載せると、通信アダプタ装置３のＣ部（押下部）１１を押下し、最初に充電端子１２が突出を開始して携帯端末装置４の充電端子に接続開始して完了した状態で図示のクリアランスが０（図４の（ｂ）となり）、更に、Ｃ部（押下部）１１が押下されていると通信端子２１が突出を開始して携帯端末装置４の通信端子に接続開始して完了する（図４の（ｄ））。これにより、携帯端末装置４を通信アダプタ装置３に載せることで、自動的に充電端子を接続完了した後に、通信端子を接続することが可能となる。
【００５２】
尚、充電端子よりも先に通信端子を接続すると、携帯端末装置４および通信アダプタ装置３の回路に、不定な電圧が入り込んで誤動作が発生したり、正常に動作開始しなかったりなどの不都合が発生する。そのため、充電端子（電源端子）（＋、−）を先に接続してから、通信端子を接続することで、これら不都合の発生を完全に防止することが可能となる。
【００５３】
また、上記実施例では、充電端子を接続した後、通信端子を接続するために、機械的なクリアランスを設けて実現したが、これに限られることなく、時間差を設ける機構（例えばＣ部（押下部）１１が押下されると充電端子が先に突出して接続し、所定時間経過後の後に通信端子が突出して接続するという時間遅延機構）を設けてもよい。
【００５４】
図５は、本発明の端子例を示す。図１、図２、図４の通信アダプタ装置３の充電端子１２、通信端子２１は共にに凸状であり、相手の携帯端末装置４の充電端子、通信端子が共に平坦である例を説明したが、ここでは、通信アダプタ装置３の充電端子１２、通信端子２１が図示の上段の平坦な端子であり、相手の携帯端末装置４が図示の下段の凸状の端子である例を示す。また、図１、図２、図４の充電端子１２と通信端子２１は全部が凸あるいは平坦の端子である必要はなく、一方が平坦、他方が凸状の組み合わせてでもよい。
【００５５】
図６は、本発明のカバー部等の１実施例構造図を示す。これは、図２のカバー部２２の詳細構造図の例を示し、携帯端末装置４をＣ部（押下部）１１の上に載せることにより下方向に押下されたときに、カバー部２２のＩ部が図示の矢印の左方向にスライド（あるいは回転移動）し、通信端子２１を覆っているカバーを外して内部から通信端子２１をここでは、上方向に突き出す様子を示す。この際、カバーの内面に清掃用部材を設けておき、カバーをここでは左方向にずらしたときに通信端子２１の先端の部分を清掃して綺麗にした後に通信端子２１を上方向に突き出して図示外の携帯端末装置４の通信端子に接触させるようにしている。
【００５６】
また、カバーの外側に清掃用部材を設けておき、カバーをここでは左方向にずらしたときに携帯端末装置４の通信端子の先端部分を清掃して綺麗にした後に、通信アダプタ装置３の通信端子２１を上方向に突き出して接触させるようにしている。
【００５７】
（付記１）
携帯端末装置の電源端子および通信端子にそれぞれ対応して接続される電源端子と通信端子を備えた通信アダプタ装置において、
前記携帯端末装置が前記通信アダプタ装置上に載置されることによって押下される第１の部材と、前記通信アダプタ装置の電源端子と、突起部を備え、前記第１の部材が押下されると所定角度回転し前記通信アダプタ装置の電源端子を突出させ、前記携帯端末装置の電源端子と接続される電源端子ホルダ部と、
前記突起部との間に所定の間隔をおいて設けられた第２の部材と、前記通信アダプタ装置の通信端子を備え、前記電源端子ホルダ部が前記所定角度回転することにより前記突起部と前記第２の部材が接触すると共に前記通信アダプタ装置の電源端子と前記携帯端末装置の電源端子とが接続された後、更に前記第１の部材が押下されると所定角度回転し前記通信アダプタ装置の通信端子を突出させ、前記携帯端末装置の通信端子と接続させる通信端子ホルダ部と
を備えたことを特徴とする通信アダプタ装置。
【００５８】
（付記２）
前記電源端子ホルダ部および前記通信端子ホルダ部の端子を、前記携帯端末装置の端子の平坦あるいは凸に対応して、凸あるいは平坦にしたことを特徴とする付記１記載の通信アダプタ装置。
【００５９】
（付記）
前記第１の部材が押下されたときに回転して電源端子を突き出す軸と、第２の部材が回転して通信端子を突き出す軸とを０度あるいは９０度のいずれかとしたことを特徴とする付記１あるいは付記２記載の通信アダプタ装置。
【００６０】
（付記４）
前記通信端子の突き出し時にカバーを外して当該通信端子を突き出すことを特徴とする付記１から付記３のいずれかに記載の通信アダプタ装置。
【００６１】
（付記５）
前記カバーの内面に清掃用部材を設け、カバーを外すときに前記通信端子ホルダ部の端子を清掃、あるいは前記カバーの外面に清掃用部材を設け、カーバを外すときに前記携帯端末装置の通信端子を清掃することを特徴とする付記４に記載の通信アダプタ装置。
【００６２】
（付記６）
前記通信端子をＵＳＢ端子としたことを特徴とする付記１から付記５のいずれかに記載の通信アダプタ装置。
【００６３】
（付記７）
前記電源端子を突き出して前記携帯端末装置の電源端子と接続した後に更に当該第２の部材が押下される代わりに、前記電源端子の長さを前記通信端子の長さよりも長くし、先に前記携帯端末装置の電源端子に接続するようにしたことを特徴とする付記１から付記６のいずれかに記載の通信アダプタ装置。
【図面の簡単な説明】
【００６４】
【図１】本発明の１実施例構造図である。
【図２】本発明の外観構造図である。
【図３】本発明の動作説明フローチャートである。
【図４】本発明の動作説明図である。
【図５】本発明の端子例である。
【図６】本発明のカーバ部等の１実施例構造図である。
【図７】本発明に係る携帯端末装置例である。
【図８】本発明の装着説明図である。
【図９】携帯端末装置、通信アダプタ装置および上位装置の接続例である。
【符号の説明】
【００６５】
１：充電端子ホルダ部
１１：Ｃ部（押下部）
１２：充電端子
１３：Ｄ部（突起部）
１４：充電端子ホルダ
２：通信端子ホルダ部
２１：通信端子
２２：カバー部
２３：Ｅ部（アーム部）
３：通信アダプタ装置
３１、３２：端子
４：携帯端末装置
４５：通信ボタン
４６：充電端子
４７：通信端子
【図１】
2005136821.tif 000003
【図２】
2005136821.tif 000004
【図３】
2005136821.tif 000005
【図４】
2005136821.tif 000006
【図５】
2005136821.tif 000007
【図６】
2005136821.tif 000008
【図７】
2005136821.tif 000009
【図８】
2005136821.tif 000010
【図９】
2005136821.tif 000011